(57)【要約】【課題】ノイズ音を低減し、高い静粛性を確保可能なプロジェクタを提供すること。【解決手段】第１色光用光源部１０１Ｒと、第２色光用光源部１０１Ｇと、第３色光用光源部１０１Ｂと、各色光用空間光変調装置１０４Ｒ、１０４Ｇ、１０４Ｂと、導光光学系１０３Ｒ、１０３Ｇ、１０３Ｂと、第１色光、第２色光、第３色光を合成する色合成光学系１０５と、投写レンズ１０６と、を有し、第１基板１０２Ｒの第２面１０２Ｒｂと、第２基板１０２Ｇの第２面１０２Ｇｂと、第３基板１０２Ｂの第２面１０２Ｂｂとで一定の空間１０７を形成するように構成し、各色光用光源部１０１Ｒ、１０１Ｇ、１０１Ｂを冷却するための冷却用流体を一定の空間に供給する冷却用流体供給部１１０と、冷却用流体供給部１１０からのノイズ音を相殺するような音波を一定の空間１０７の方向Ｓへ発生する音響発生部１０８と、を備える。【選択図】        図１
2005140984.tif 000002
【特許請求の範囲】
【請求項１】
第１面と第２面とを有する第１基板の前記第１面上に設けられている第１色光を供給する第１色光用光源部と、
第１面と第２面とを有する第２基板の前記第１面上に設けられている第２色光を供給する第２色光用光源部と、
第１面と第２面とを有する第３基板の前記第１面上に設けられている第３色光を供給する第３色光用光源部と、
前記第１色光を画像信号に応じて変調する第１色光用空間光変調装置と、
前記第２色光を画像信号に応じて変調する第２色光用空間光変調装置と、
前記第３色光を画像信号に応じて変調する第３色光用空間光変調装置と、
前記各色光用光源部からの光を、それぞれ前記各色光用空間光変調装置へ導くための導光光学系と、
前記各色光用空間光変調装置でそれぞれ変調された前記第１色光、前記第２色光、前記第３色光を合成する色合成光学系と、
変調された光を投写する投写レンズと、を有し、
前記第１基板の前記第２面と、前記第２基板の前記第２面と、前記第３基板の前記第２面とで一定の空間を形成するように構成し、
前記各色光用光源部を冷却するための冷却用流体を前記一定の空間に供給する冷却用流体供給部と、
前記冷却用流体供給部からのノイズ音を相殺するような音波を前記一定の空間の方向へ発生する音響発生部と、を備えることを特徴とするプロジェクタ。
【請求項２】
前記音響発生部は、さらに、効果音を発生することを特徴とする請求項１に記載のプロジェクタ。
【請求項３】
前記音響発生部が前記音波を発生する方向と、前記導光光学系が導光する方向とは略直交することを特徴とする請求項１又は２に記載のプロジェクタ。
【発明の詳細な説明】
【技術分野】
【０００１】
本発明は、プロジェクタ、特に、光源部として固体発光素子を用いるプロジェクタの技術に関する。
【背景技術】
【０００２】
プロジェクタは、プレゼンテーションや、ホームシアター等の用途に用いられる。特に、効果音とともに画像を鑑賞するホームシアター用のプロジェクタにおいては、プロジェクタから発生するノイズ音が鑑賞の妨げになる場合があることから、高い静粛性が求められている。このように、近年、プロジェクタは、画質のみならず、用途に応じて静粛性についても重要視されている。騒音を除去するシステムの技術としては、例えば、特許文献１、２及び非特許文献１〜４に提案されているものがある。
【０００３】
【特許文献１】特許第２５４４８９９号公報
【特許文献２】特許第２５４４９００号公報
【非特許文献１】「能動的消音システム ＤＡＮＣ  概要」、ダイダンの技術、[online]、ダイダン株式会社、［平成１５年１０月２３日検索］、インターネット＜ＵＲＬ：http://www.daidan.co.jp/daidan_tech/danc/＞
【非特許文献２】「レスポンス」、ニューモデル、[online]、平成１２年６月１日、株式会社アイ・アール・アイ  コマース アンド テクノロジー、［平成１５年１０月２３日検索］、インターネット＜ＵＲＬ：http://response.jp/issue/2000/0601/article2479_1.html＞
【非特許文献３】「日経メカニカルOnLine」、自動車、Cyber Manufacturing Net （日経メカニカル・ニュース）、６月５日号、no.699、[online]、日経ＢＰ社、［平成１５年１０月２３日検索］、インターネット＜ＵＲＬ：http://nmc.nikkeibp.co.jp/car/news01/699.html＞
【非特許文献４】石井郁夫、中静真、藍沢直孝、「排気管から発せられる燃焼音の低減に関する基礎研究」、[online]、新潟大学地域共同研究センター、［平成１５年１０月２３日検索］、インターネット＜ＵＲＬ：http://www.ccr.niigata-u.ac.jp/kyodokenkyu/annual/vol3/v305j.html＞
【発明の開示】
【発明が解決しようとする課題】
【０００４】
しかしながら、プロジェクタにおいて高い静粛性を実現するためには、ノイズ音を効率良く除去する必要がある。このためには、プロジェクタを、ノイズ音を十分に低減可能な構成とする必要があるため問題である。本発明は、上述の問題に鑑みてなされたものであり、ノイズ音を低減し、高い静粛性を確保可能なプロジェクタを提供することを目的とする。
【課題を解決するための手段】
【０００５】
上述した課題を解決し、目的を達成するために、本発明によれば、第１面と第２面とを有する第１基板の第１面上に設けられている第１色光を供給する第１色光用光源部と、第１面と第２面とを有する第２基板の第１面上に設けられている第２色光を供給する第２色光用光源部と、第１面と第２面とを有する第３基板の第１面上に設けられている第３色光を供給する第３色光用光源部と、第１色光を画像信号に応じて変調する第１色光用空間光変調装置と、第２色光を画像信号に応じて変調する第２色光用空間光変調装置と、第３色光を画像信号に応じて変調する第３色光用空間光変調装置と、各色光用光源部からの光を、それぞれ各色光用空間光変調装置へ導くための導光光学系と、各色光用空間光変調装置でそれぞれ変調された第１色光、第２色光、第３色光を合成する色合成光学系と、変調された光を投写する投写レンズと、を有し、第１基板の第２面と、第２基板の第２面と、第３基板の第２面とで一定の空間を形成するように構成し、各色光用光源部を冷却するための冷却用流体を一定の空間に供給する冷却用流体供給部と、冷却用流体供給部からのノイズ音を相殺するような音波を一定の空間の方向へ発生する音響発生部と、を備えることを特徴とするプロジェクタを提供することができる。
【０００６】
プロジェクタからのノイズ音は、画像鑑賞時において音声を聴きにくくすること、観察者に不快感を与えること等の悪影響を及ぼす場合がある。このため、特に、音声とともに画像を鑑賞するホームシアター用のプロジェクタにおいて、高い静粛性が求められる。プロジェクタのノイズ音源としては、例えば、冷却ファン等の冷却用流体供給部が挙げられる。本発明では、第１色光用光源部は、第１基板の第１面上に設けられている。第２色光用光源部と第３色光用光源部とは、それぞれ第２基板、第３基板の第１面上に設けられている。第１基板、第２基板、及び第３基板の第２面側には各色光用光源部は形成されてない。第１基板、第２基板、及び第３基板は、それぞれの第２面側を用いて一定の空間を形成するようにして固着されている。
【０００７】
冷却用流体供給部は、一定の空間に冷却用流体を供給する。そして、音響発生部は、冷却用流体供給部からのノイズ音を相殺するような音波を、一定の空間の方向に発生させる。ノイズ音を相殺するような音波としては、ノイズ音とは位相が逆であることのみが異なる逆位相音が用いられる。ノイズ音と逆位相音とを合わせることにより、音波干渉を生じて互いに打ち消し合う現象が起きる。このため、冷却用流体供給部からのノイズ音は、音響発生部からの音波により除去される。
【０００８】
また、ノイズ音と、ノイズ音を相殺するための音波とのそれぞれの音場を正確にマッチングさせることができるため、ノイズ音を効率良く除去することができる。これにより、ノイズ音を低減し、高い静粛性を確保することができる。また、一定の空間は、第１基板、第２基板、第３基板により構成することから、プロジェクタを空間的な無駄がないコンパクトな構成にすることができる。このため、小型なプロジェクタにも対応して高い静粛性を確保できる。
【０００９】
また、本発明の好ましい態様によれば、音響発生部は、さらに、効果音を発生することが望ましい。音響発生部が、ノイズ音を相殺する音波と、効果音とを合わせて発生することにより、単独の音響発生部を用いて、ノイズ音の除去と、効果音の発生とを行うことができる。さらに、ノイズ音が除去されクリアな効果音を得ることができる。これにより、簡易な構成で、クリアな効果音を得られる。
【００１０】
また、本発明の好ましい態様によれば、音響発生部が音波を発生する方向と、導光光学系が導光する方向とは略直交することが望ましい。音響発生部が音波を発生する方向と、導光光学系が導光する方向とが略直交する構成とすることにより、導光光学系と音響発生部とを容易に分離できる。これにより、プロジェクタの周辺部分の設計が容易になる。
【発明を実施するための最良の形態】
【００１１】
以下に図面を参照して、本発明の実施例を詳細に説明する。
【実施例１】
【００１２】
図１は、実施例１に係るプロジェクタ１００の斜視構成を示す。本実施例のプロジェクタ１００は、各色光用光源部に、固体発光素子である発光ダイオード（以下、「ＬＥＤ」という。）素子を用いる。第１色光用光源部であるＲ光用光源部１０１Ｒは、第１色光である赤色光（以下、「Ｒ光」という。）を供給する。Ｒ光用光源部１０１Ｒは、複数のＲ光用ＬＥＤ素子が第１基板１０２Ｒの第１面１０２Ｒａ上にアレイ状に設けられている。同様に、Ｇ光用光源部１０１Ｇは、第２色光である緑色光（以下、「Ｇ光」という。）を供給する。Ｇ光用光源部１０１Ｇは、複数のＧ光用ＬＥＤ素子が第２基板１０２Ｇの第１面１０２Ｇａ上にアレイ状に設けられている。さらに、Ｂ光用光源部１０１Ｂは、第３色光である青色光（以下、「Ｂ光」という。）を供給する。Ｂ光用光源部１０１Ｂは、複数のＢ光用ＬＥＤ素子が第３基板１０２Ｂの第１面１０２Ｂａ上にアレイ状に設けられている。
【００１３】
図２は、プロジェクタ１００をＸＹ面から見た構成を示す。まず、図２を用いて、Ｒ光の光路について説明する。Ｒ光用光源部１０１ＲからのＲ光は、導光光学系である台形プリズム１０３Ｒへ底面から入射する。図２に示すように、台形プリズム１０３Ｒの底面から入射したＲ光は、斜面１０３Ｒａで反射されて、光路を９０°折り曲げられる。反射されたＲ光は、導光方向ｄ１に沿って台形プリズム１０３Ｒ内を進行する。そして、斜面１０３Ｒｂで反射され、再度光路を９０°折り曲げられる。さらに、台形プリズム１０３Ｒ内を進行したＲ光は、底面から射出する。ここで、台形プリズム１０３Ｒのロッド部分はインテグレータとしての機能を兼用することもできる。図２では、簡単のために台形プリズム１０３Ｒのロッド部分を短くして図示しているが、インテグレータの機能を奏するためには十分な長さにすることが望ましい。台形プリズム１０３Ｒの底面の近傍には、第１色光用空間光変調装置である透過型のＲ光用液晶表示装置１０４Ｒが設けられている。Ｒ光用液晶表示装置１０４Ｒは、入射光を画像信号に応じて変調して射出する。
【００１４】
Ｇ光についても、Ｇ光用光源部１０１ＧからのＧ光は、台形プリズム１０３Ｇを経て、Ｇ光用液晶表示装置１０４Ｇで変調される。Ｂ光も同様に、Ｂ光用光源部１０１ＢからのＢ光は、台形プリズム１０３Ｂを経て、Ｂ光用液晶表示装置１０４Ｂで変調される。各色光用液晶表示装置で変調されたＲ光、Ｇ光、Ｂ光は、それぞれ異なる面からクロスダイクロイックプリズム１０５へ入射する。
【００１５】
図１に戻って、クロスダイクロイックプリズム１０５は、第１のダイクロイック膜１０５ａと第２のダイクロイック膜１０５ｂとをＸ字状に配列して構成されている。第１のダイクロイック膜１０５ａは、Ｒ光を反射し、Ｇ光を透過する。第２のダイクロイック膜１０５ｂは、Ｂ光を反射し、Ｇ光を透過する。これにより、変調された各色光は、合成されて投写レンズ１０６の方向へ射出される。投写レンズ１０６は、変調された各色光を不図示のスクリーンに投写する。これにより、フルカラー像を得ることができる。
【００１６】
第１基板１０２Ｒの第２面１０２Ｒｂと、第２基板１０２Ｇの第２面１０２Ｇｂと、第３基板１０２Ｂの第２面１０２Ｂｂとは、一定の空間１０７を形成するように構成されている。好ましくは、さらに第２基板１０２Ｇに対向する位置に基板を設け、４つの基板により、断面形状が略正方形の空間１０７を形成することが望ましい。４つの基板のクロスダイクロイックプリズム１０５側には、音響発生部であるスピーカ１０８が設けられている。スピーカ１０８は、後述の冷却ファン１１０からのノイズ音を相殺するような音波と、効果音とを空間１０７の方向Ｓへ発生する。スピーカ１０８がノイズ音を相殺する音波と効果音を発生する方向Ｓは、Ｙ軸方向に略同一である。スピーカ１０８は、４つの基板により形成される一定の空間１０７を覆うようにして設けられている。図１、図２に示すように、スピーカ１０８は、４つの基板と密着させず、隙間を設けて配置されている。なお、ノイズ音を低減する構成については後述する。
【００１７】
４つの基板を挟んでスピーカ１０８と対向する位置には、冷却用流体供給部である冷却ファン１１０が設けられている。冷却ファン１１０は、各色光用光源部１０１Ｒ、１０１Ｇ、１０１Ｂを冷却するための冷却用流体である空気を、空間１０７に供給する。冷却ファン１１０は、４つの基板により形成される一定の空間１０７に蓋をするようにして、４つの基板に密着させて設けられている。上述のように、スピーカ１０８と、４つの基板との間には隙間が設けられている。冷却ファン１１０は、方向Ｗへ空気を供給する。冷却ファン１１０から供給される空気の進行方向Ｗは、Ｙ軸方向と略同一である。冷却ファン１１０から供給される空気は、スピーカ１０８と４つの基板との間の隙間からそのまま方向Ｗへ進行し、空間１０７の外部へ流出する。このようにして、冷却ファン１１０は、空間１０７の空気を撹拌、通過させる。各色光用光源部１０１Ｒ、１０１Ｇ、１０１Ｂは、冷却ファン１１０が空間１０７の空気を撹拌、通過させることによって冷却される。なお、図示するように、効果音の向きＳと冷却ファン１１０から供給される空気の向きＷとは、反対向きである。音速は冷却ファン１１０から供給される空気の流速より充分大きいので、効果音の向きＳと空気の向きＷとが同じであっても、反対である場合と同等の効果が得られる。
【００１８】
図３は、図１に示すプロジェクタ１００の一部の斜視構成を示す。空間１０７は、４つの基板の第２面１０２Ｒｂ、１０２Ｇｂ、１０２Ｂｂ、３０２から構成されている。冷却ファン１１０は、複数の羽根部材３１０を略同心円上に設けている。複数の羽根部材３１０が設けられている略同心円の中心点Ｃを中心として高速回転することにより、冷却ファン１１０は、空間１０７に空気を供給する。スピーカ１０８からの効果音は、羽根部材３１０どうしの間を通過することにより、冷却ファン１１０で遮断されることなくそのまま方向Ｓへ進行する。なお、上述のように、効果音の進行は、冷却ファン１１０による方向Ｗへの空気の進行に比較して非常に高速である。このため、効果音の進行方向Ｓと、空気の進行方向Ｗとが互いに逆向きであっても、効果音は方向Ｓへ進行することができる。
【００１９】
次に、図４、図５を用いてノイズ音を低減する構成について詳細に説明する。上述のように、冷却ファン１１０は、複数の羽根部材を高速回転させる。冷却ファン１１０は、羽根部材を回転するためのモータの駆動による低周波騒音などの機械的ノイズを発生する。このようなノイズ音がプロジェクタ１００から発生すると、画像鑑賞時において音声を聴きにくくすること、観察者に不快感を与えること等の悪影響を及ぼす場合がある。ノイズ音の悪影響は、ノイズ音の発生源を遮蔽することによって低減可能であるとも考えられる。これに対して、冷却ファン１１０を遮蔽すると、熱源の冷却のための空気の供給と流出とを行うことが困難となる。このことから、単に、冷却ファン１１０を遮蔽することによって、ノイズ音を低減することは困難である。
【００２０】
図４は、ノイズ音を相殺するための概略構成を示す。空間１０７には、センサ４１１が設けられている。センサ４１１は、４つの基板のうちの１つの基板の第２面、例えば、第２面１０２Ｂｂの略中央の位置に設けられている。センサ４１１は、冷却ファン１１０が発生するノイズ音を検出して、ノイズ音の波形に応じた検出信号を制御部４１３に出力する。センサ４１１からの検出信号は、まず、図５に示すように、制御部４１３の逆位相信号生成部５１２に入力される。逆位相信号生成部５１２は、ディジタル演算によって、センサ４１１からの検出信号に対する逆位相信号を生成する。
【００２１】
センサ４１１によるノイズ音の検出は、冷却ファン１１０の稼動中常時行うことにより、ノイズ音の変化に応じた逆位相音を発生させることができる。ノイズ音の検出は、常時行う場合のみならず、所定の時間おき、冷却ファン１１０の稼動時のみなどとしても良い。また、センサ４１１によってノイズ音の波形の変化を検出したときのみ逆位相信号を変更することとしても良い。このようなノイズ音の検出タイミングは、ノイズ音の波形の変化の程度に応じて適宜設定することができる。
【００２２】
センサ４１１からの検出信号とは別に、制御部４１３の音声信号出力部５１３には、効果音を発生するための映像音声信号が入力される。逆位相信号生成部５１２からの逆位相信号と、音声信号出力部５１３からの音声信号とは、ミキサ５１４でミキシングされた後、増幅器５１５で増幅されてスピーカ１０８に入力する。スピーカ１０８は、逆位相信号による逆位相音と、音声信号による効果音とを空間１０７の方向へ発生する。この構成により、ノイズ音の発生から瞬時に、スピーカ１０８は、ノイズ音を相殺可能な音波を発生する。
【００２３】
スピーカ１０８から発生する逆位相音は、センサ４１１により検出されたノイズ音とは位相が逆であることのみが異なる。ノイズ音と逆位相音とは位相が逆であることのみが異なるため、ノイズ音と逆位相音とを合わせることにより、音波干渉を生じて互いに打ち消し合う現象が起きる。このため、スピーカ１０８が空間１０７の方向へ逆位相音を発生することにより、ノイズ音は、逆位相音によって相殺されて除去される。空間１０７においてノイズ音が除去されることによって、スピーカ１０８からの効果音のみがそのまま冷却ファン１１０を通過する。
【００２４】
このようにして、冷却ファン１１０からのノイズ音は、スピーカ１０８からの逆位相音により除去される。本実施例の構成により、ノイズ音と、ノイズ音を相殺するための音波とのそれぞれの音場を正確にマッチングさせることができる。このため、冷却ファン１１０からのノイズ音を効率良く除去することができる。これにより、ノイズ音を低減し、高い静粛性を確保することができるという効果を奏する。また、空間１０７において、ノイズ音のみを除去して効果音をそのまま通過させることから、クリアな効果音を得られるという効果を奏する。
【００２５】
一定の空間１０７は、第１基板１０２Ｒ、第２基板１０２Ｇ、第３基板１０２Ｂにより構成することから、プロジェクタ１００を空間的な無駄がないコンパクトな構成にすることができる。また、単独のスピーカ１０８を用いてノイズ音の除去と、効果音の発生とを行うことから、プロジェクタ１００を簡易な構成とすることができる。このため、小型なプロジェクタにも対応して高い静粛性を確保できる。さらに、スピーカ１０８は、ノイズ音を相殺するような音波のみを空間１０７の方向へ発生することとしても良い。この場合、スピーカ１０８とは別に、効果音のみを発生するスピーカを設けることができる。
【００２６】
本実施例のスピーカ１０８は、空間１０７のクロスダイクロイックプリズム１０５側に設け、冷却ファン１１０は、空間１０７に関してスピーカ１０８と対向する位置に設けている。これとは逆に、空間１０７のクロスダイクロイックプリズム１０５側に冷却ファン１１０を設けることとしても良い。この場合、スピーカ１０８からの効果音の発生方向と、冷却ファン１１０からの空気の進行方向とがそれぞれ上記の説明と逆向きとなるのみで、奏する効果は同様である。また、冷却ファン１１０とスピーカ１０８とを対向して設けることにより、ノイズ音と逆位相音との音波干渉を効率良く生じさせ、ノイズ音を効率良く打ち消すことができる。冷却ファン１１０と、スピーカ１０８とは、逆位相音によってノイズ音を効率良く相殺可能な配置であれば良く、互いに対向させる構成に限られない。プロジェクタ１００の構成に応じて適宜構成を変更しても良い。
【００２７】
センサ４１１（図４参照）の位置は、冷却ファン１１０からのノイズ音を正確に検出できるような位置であれば良く、基板の第２面の略中央の位置に限られない。例えば、第２面の中央に対して冷却ファン１１０側、若しくはスピーカ１０８側であっても良い。また、センサ４１１は、第２面に設ける以外に、空間１０７の中空や、冷却ファン１１０、スピーカ１０８のいずれの位置に設けることとしても良い。さらに、単独のセンサ４１１を用いる場合に限らず、複数のセンサを用いて、２以上の位置でノイズ音を検出することとしても良い。
【００２８】
逆位相音を用いる方法によると、特に、長波長、即ち低周波数の騒音を有効に低減することが可能である。このため、本発明によれば、冷却ファン１１０のモータからの機械的ノイズ等の低周波騒音を、有効に低減することができる。冷却ファン１１０のノイズ音の波形に変化が少ない場合は、センサ４１１によるノイズ音を検出する構成とせず、予めノイズ音を相殺するような音波の波形を記憶し、一定の波形の逆位相音を発生することとしても良い。この場合、センサ４１１による検出が不要となることから、さらに簡易な構成でノイズ音を低減することができる。さらに、本実施例では、冷却用流体供給部として冷却ファン１１０を用いているが、これに限らず、コンプレッサやエアポンプを用いて冷却用流体を供給する構成としても良い。本発明により、コンプレッサやエアポンプからの騒音についても有効に低減でき、高い静粛性を確保できる。
【実施例２】
【００２９】
図６は、本発明の実施例２に係るプロジェクタ６００の概略構成を示す。上記実施例１のプロジェクタ１００と同一の部分には同一の符号を付し、重複する説明は省略する。本実施例は、Ｇ光用光源部６０１ＧとＧ光用液晶表示装置６０４Ｇとが、導光光学系を介さずに、対向して設けられている。Ｇ光用光源部６０１Ｇは、第２基板６０２Ｇの第１面６０２Ｇａ側に設けられている。
【００３０】
クロスダイクロイックプリズム６０５は、第１のダイクロイック膜６０５ａと第２のダイクロイック膜６０５ｂとがＸＹ面内でＸ字形状となるように構成されている。これにより、各色光用液晶表示装置１０４Ｒ、６０４Ｇ、１０４Ｂで画像信号に応じて変調された光は、クロスダイクロイックプリズム６０５で合成されて、Ｙ軸に沿った方向へ射出される。そして、投写レンズ１０６は、変調された各色光を不図示のスクリーンに投写する。これにより、フルカラー像を得ることができる。
【００３１】
第１基板１０２Ｒの第２面１０２Ｒｂと、第２基板６０２Ｇの第２面６０２Ｇｂと、第３基板１０２Ｂの第２面１０２Ｂｂとは、一定の空間１０７を形成するように構成されている。好ましくは、さらに第２基板６０２Ｇに対向する位置に基板を設け、４つの基板で断面形状が略正方形の一定の空間１０７を形成することが望ましい。スピーカ１０８は、図６において紙面の向こう側（マイナスＺ方向）に設けられている。スピーカ１０８は、空間１０７の方向Ｓへ、逆位相音と、効果音とを発生する。スピーカ１０８から逆位相音と、効果音とを発生する方向Ｓは、Ｚ軸方向に略同一である。冷却ファン１１０は、スピーカ１０８と対向する位置に設けられている。冷却ファン１１０は、方向Ｗへ空気を供給する。冷却ファン１１０から供給される空気の進行方向Ｗは、Ｚ軸方向と略同一である。
【００３２】
上記実施例１において、スピーカ１０８が逆位相音及び効果音を発生する方向Ｓは、Ｙ軸方向に略同一である。これに対して、本実施例では、スピーカ１０８が逆位相音及び効果音を発生する方向Ｓは、Ｚ軸方向に略同一である。本実施例では、スピーカ１０８から逆位相音及び効果音を発生する方向Ｓと、導光光学系である台形プリズム１０３Ｒ、１０３Ｂ内を光が導光される方向ｄ１とは略直交する。このため、台形プリズム１０３Ｒ、１０３Ｂとスピーカ１０８とを容易に分離できる。
【００３３】
本実施例では、冷却ファン１１０が空気を供給する方向Ｗも、台形プリズム１０３Ｒ、１０３Ｂ内の導光方向ｄ１と略直交する。このため、冷却ファン１１０についても、スピーカ１０８と同様に、台形プリズム１０３Ｒ、１０３Ｂと容易に分離できる。これにより、プロジェクタ６００の周辺部分の設計を容易にできるという効果を奏する。なお、本実施例の構成に限らず、スピーカ１０８を図６の紙面手前側（プラスＺ方向）に、冷却ファン１１０を紙面向こう側（マイナスＺ方向）に設けることとしても良い。この場合も、スピーカ１０８が音波を発生する方向Ｓと、台形プリズム１０３Ｒ、１０３Ｂが導光する方向ｄ１とが略直交する構成にできる。
【実施例３】
【００３４】
図７は、本発明の実施例３に係るプロジェクタ７００の断面構成を示す。上記実施例１のプロジェクタ１００と同一の部分には同一の符号を付し、重複する説明は省略する。本実施例のプロジェクタ７００は、クロスダイクロイックプリズム１０５と、スピーカ１０８とを当接させて構成されている。この場合、各色光用光源部１０１Ｒ、１０１Ｇ、１０１Ｂと、クロスダイクロイックプリズム１０５とを近くに配置することができる。このため、本実施例では、導光光学系として三角形プリズム７０３Ｒ、７０３Ｇ、７０３Ｂを用いる。このようにクロスダイクロイックプリズム１０５と、スピーカ１０８とを当接させて設けることにより、プロジェクタ７００を小型化できる。
【００３５】
なお、上記各実施例において、導光光学系は、台形プリズムや三角形プリズムに限られず、ミラーで構成しても良い。また、上記各実施例のプロジェクタは、３色光を用いる構成としているが、４色光を用いる構成としても良い。さらに、各色光用光源部に用いる固体発光素子としては、ＬＥＤに限らず、例えば、半導体レーザやエレクトロ・ルミネッセンス（ＥＬ）であっても良い。
【産業上の利用可能性】
【００３６】
以上のように、本発明に係るプロジェクタは、プレゼンテーションや動画を表示する場合に有用であり、特に、高い静粛性が求められる環境において画像を表示する場合に適している。
【図面の簡単な説明】
【００３７】
【図１】実施例１に係るプロジェクタの斜視図。
【図２】実施例１に係るプロジェクタの平面図。
【図３】実施例１のプロジェクタの特徴的部分の斜視図。
【図４】ノイズ音を低減する構成の説明図。
【図５】ノイズ音を低減する構成の説明図。
【図６】実施例２に係るプロジェクタの概略構成図。
【図７】実施例３に係るプロジェクタの概略構成図。
【符号の説明】
【００３８】
１００  プロジェクタ、１０１Ｒ  Ｒ光用光源部、１０１Ｇ  Ｇ光用光源部、１０１Ｂ  Ｂ光用光源部、１０２Ｒ  第１基板、１０２Ｇ  第２基板、１０２Ｂ  第３基板、１０２Ｒａ、１０２Ｇａ、１０２Ｂａ  第１面、１０２Ｒｂ、１０２Ｇｂ、１０２Ｂｂ  第２面、１０３Ｒａ、１０３Ｒｂ  斜面、１０３Ｒ、１０３Ｇ、１０３Ｂ  台形プリズム、１０４Ｒ  Ｒ光用液晶表示装置、１０４Ｇ  Ｇ光用液晶表示装置、１０４Ｂ  Ｂ光用液晶表示装置、１０５  クロスダイクロイックプリズム、１０５ａ  第１のダイクロイック膜、１０５ｂ  第２のダイクロイック膜、１０６  投写レンズ、１０７  空間、１０８  スピーカ、１１０  冷却ファン、３０２  第２面、３１０  羽根部材、４１１  センサ、４１３  制御部、５１２  逆位相信号生成部、５１３  音声信号出力部、５１４  ミキサ、５１５  増幅器、６００  プロジェクタ、６０１Ｇ  Ｇ光用光源部、６０２Ｇ  第２基板、６０２Ｇａ  第１面、６０２Ｇｂ  第２面、６０４Ｇ  Ｇ光用液晶表示装置、６０５  クロスダイクロイックプリズム、６０５ａ  第１のダイクロイック膜、６０５ｂ  第２のダイクロイック膜、７００  プロジェクタ、７０３Ｒ、７０３Ｇ、７０３Ｂ  三角形プリズム、Ｓ  発生方向、Ｗ  供給方向、Ｃ  中心点、ｄ１  導光方向
【図１】
2005140984.tif 000003
【図２】
2005140984.tif 000004
【図３】
2005140984.tif 000005
【図４】
2005140984.tif 000006
【図５】
2005140984.tif 000007
【図６】
2005140984.tif 000008
【図７】
2005140984.tif 000009